(57)【要約】      （修正有）【課題】空調機の送風口に装着して飲料を加温あるいは加冷できるドリンクホルダにおいて、電源等の動力源なしで空調機からの気流を利用して飲料容器を回転させ、しかも風速が大になってもあまり回転が速くならないように回転抑制手段を設けた回転機構付ドリンクホルダを提供する。【解決手段】筐体１内部に設けられた風車２によって飲料の容器が固定された回転盤を回転させると同時に２個の永久磁石４２，４３に挟まれた金属板４１を回転させることにより、金属板に発生する渦電流を利用して回転が速くなればなるほど抑制効果が大となる回転抑制手段４を設けた。【選択図】図１
0003137682.tif 000002
【実用新案登録請求の範囲】
【請求項１】
空調機の送風口に装着して空調機からの冷風あるいは温風によって容器に収容された飲料を加冷あるいは加温するドリンクホルダにおいて、
空調機の送風口に装着される装着部と扁平な円筒形状に形成され上面の一部が開放面となっている本体部が一体に連通して構成されている筐体と、
該筐体の本体部の内部に設けられ空調機の送風口からの気流を受けて回転する風車と、
中心が該風車の回転軸に固定され複数の通風孔が穿設され飲料の容器を固定する固定機構が付設された円盤状の回転盤と、
中心が上記風車の回転軸に固定された金属板と該金属板に渦電流を発生させる永久磁石からなる回転抑制手段、
から構成されていることを特徴とする回転機構付ドリンクホルダ。
【請求項２】
上記回転抑制手段が、
筐体の本体部の下部に設けられており、
筐体の本体部の下面に固着された面状の第１磁石と筐体の本体部の下面から一定距離に隔離するように設けられた支承板に固着された面状の第２磁石を有し、
第１磁石と第２磁石が一定の距離を置いて相対して磁場を発生させるように構成され、
上記風車の回転軸に中心が固着された円盤状の金属板の辺縁部の一部が常に第１磁石と第２磁石が発生させる磁場内に位置するように構成されていることを特徴とする請求項１に記載の回転機構付ドリンクホルダ。
【請求項３】
第１磁石と第２磁石が希土類ネオジウム磁石であり、第１磁石が筐体の本体部の下面に固着され第２磁石が支承板に固着された状態で両磁石により発生される磁場の磁束密度が０．２テスラ（Ｔ）〜０．４テスラ（Ｔ）の範囲内であることを特徴とする請求項２に記載の回転機構付ドリンクホルダ。
【請求項４】
回転盤に穿設されている複数の通気孔の一部又は全部が、風車の回転軸に対して気流を外向きに吹出すように傾斜された状態で穿設されていることを特徴とする請求項１あるいは請求項２あるいは請求項３に記載の回転機構付ドリンクホルダ。
【考案の詳細な説明】
【技術分野】
【０００１】
本考案は、空調機の送風口に装着して空調機からの冷風あるいは温風によって容器に収容された飲料を加冷あるいは加温するドリンクホルダに関するものであり、さらに詳しくは、以下の構成の回転機構付ドリンクホルダに関するものである。
＜構成１＞
空調機の送風口に装着して空調機からの冷風あるいは温風によって容器に収容された飲料を加冷あるいは加温するドリンクホルダにおいて、
空調機の送風口に装着される装着部と扁平な円筒形状に形成され上面の一部が開放面となっている本体部が一体に連通して構成されている筐体と、
該筐体の本体部の内部に設けられ空調機の送風口からの気流を受けて回転する風車と、
中心が該風車の回転軸に固定され複数の通風孔が穿設され飲料の容器を固定する固定機構が付設された円盤状の回転盤と、
中心が上記風車の回転軸に固定された金属板と該金属板に渦電流を発生させる永久磁石からなる回転抑制手段、
から構成されていることを特徴とする回転機構付ドリンクホルダ。
＜構成２＞
上記回転抑制手段が、
筐体の本体部の下部に設けられており、
筐体の本体部の下面に固着された面状の第１磁石と筐体の本体部の下面から一定距離に隔離するように設けられた支承板に固着された面状の第２磁石を有し、
第１磁石と第２磁石が一定の距離を置いて相対して磁場を発生させるように構成され、
上記風車の回転軸に中心が固着された円盤状の金属板の辺縁部の一部が常に第１磁石と第２磁石が発生させる磁場内に位置するように構成されていることを特徴とする構成１に記載の回転機構付ドリンクホルダ。
＜構成３＞
第１磁石と第２磁石が希土類ネオジウム磁石であり、第１磁石が筐体の本体部の下面に固着され第２磁石が支承板に固着された状態で両磁石により発生される磁場の磁束密度が０．２テスラ（Ｔ）〜０．４テスラ（Ｔ）の範囲内であることを特徴とする構成２に記載の回転機構付ドリンクホルダ。
＜構成４＞
回転盤に穿設されている複数の通気孔の一部又は全部が、風車の回転軸に対して気流を外向きに吹出すように傾斜された状態で穿設されていることを特徴とする構成１あるいは構成２あるいは構成３に記載の回転機構付ドリンクホルダ。
【背景技術】
【０００２】
空調機の送風口に装着して空調機からの冷風あるいは温風によって容器に収容された飲料を加冷あるいは加温するドリンクホルダは、下記特許文献１、２にその一例を示すように、公知技術である。下記特許文献１に記載の「ドリンクホルダー」は、車両の空調機の送風口に装着することを前提に開発されたもので、トレーと側方部材とエアコンの吹出口に取付けるベースからなり、ベースに通風路を設け、前面にフィンを備えた風向部材を略水平面で回動自在に設け、助手席にも送風が当たるようにするとともに、風向を変えられるようにしたものである。
【０００３】
また、下記特許文献２に記載の「カップホルダ装置」もやはり車両の空調機の送風口に装着することを前提に開発されたもので、車両の空調機の送風口に装着した車両内装部材の表面に略円形断面の陥凹部を形成して、該陥凹部に飲料容器のホルダを回転可能に嵌合させ、陥凹部の内周壁に空調機からの送風の導入口を形成し、ホルダにも該導入口に対応する開口を設ける。そして、ホルダの回転により、導入口と開口を一致させると空調機からの送風が飲料容器に当たり、導入口と開口をずらせると空調機からの送風が飲料容器に当たらないようにできるという装置である。
【０００４】
このように、空調機の送風口になんらかの装置を設けてカップやドリンク缶などの飲料容器を加冷あるいは加温する技術は公知であるが、従来技術においては、設置された飲料容器は静止状態であった。しかるに、送風口からは車内あるいは室内に気流が送られているので、この気流を利用して、飲料容器を回転させることができないだろうかという着眼点のもとに開発したのが、本考案の回転機構付ドリンクホルダである。
【０００５】
飲料容器を回転させること自体に特段の物理的な効果が生ずるわけではないが、特に車載用品の分野においては、目新しいものや動きのあるものは人気があり、回転する飲料容器は、単調なドライブ中にも運転者や同乗者の気持ちを慰める効果は充分に有していると考えられる。また、利用者にとっては、容器中の飲料が満遍なく加冷あるいは加温されるような印象も生じるので、この点においても心理面での効果があるといえる。
【特許文献１】実開平５‐５８４５７号公報
【特許文献２】特開２００６‐１７６０３８号公報
【考案の開示】
【考案が解決しようとする課題】
【０００６】
飲料容器を回転させること自体は、飲料容器が載置される部材に空調機からの気流を受ける風車を装備すれば良いので、比較的簡単な技術内容であるといえる。しかしながら、空調機からの送風は、強風にすれば強く、弱風にすれば弱くなる。したがって、当然強風の際には風車の回転は速くなり、弱風の際には遅くなる。風車の回転性能を、強風時に最適となるように調整すれば、弱風時には回転が極端に遅くなるか、あるいは停止してしまうことも考えられる。
【０００７】
逆に、風車の回転性能を、弱風時に最適となるように調整すると、強風時にはかなりの速度で回転することになり、飲料が容器からこぼれたり、あるいはドリンクホルダから容器ごと転落する危険もある。また、利用者が、高速回転する容器を手にとろうとして脱落させる惧れもある。したがって、弱風時にはあまり働かず、強風時には強く働く回転抑制手段が必要となる。ただし、このような回転抑制手段は、電源等の特別な動力源を要しないものが好ましい。以上より、このような回転抑制手段を備えた飲料容器が回転するドリンクホルダを開発することを本考案の課題とした。
【課題を解決するための手段】
【０００８】
本考案は上記課題を解決するためになされたものであって、以下に示す解決手段を提供するものである。
＜解決手段１＞
空調機の送風口に装着して空調機からの冷風あるいは温風によって容器に収容された飲料を加冷あるいは加温するドリンクホルダにおいて、
空調機の送風口に装着される装着部と扁平な円筒形状に形成され上面の一部が開放面となっている本体部が一体に連通して構成されている筐体と、
該筐体の本体部の内部に設けられ空調機の送風口からの気流を受けて回転する風車と、
中心が該風車の回転軸に固定され複数の通風孔が穿設され飲料の容器を固定する固定機構が付設された円盤状の回転盤と、
中心が上記風車の回転軸に固定された金属板と該金属板に渦電流を発生させる永久磁石からなる回転抑制手段、
から構成されていることを特徴とする回転機構付ドリンクホルダ。
＜解決手段２＞
上記回転抑制手段が、
筐体の本体部の下部に設けられており、
筐体の本体部の下面に固着された面状の第１磁石と筐体の本体部の下面から一定距離に隔離するように設けられた支承板に固着された面状の第２磁石を有し、
第１磁石と第２磁石が一定の距離を置いて相対して磁場を発生させるように構成され、
上記風車の回転軸に中心が固着された円盤状の金属板の辺縁部の一部が常に第１磁石と第２磁石が発生させる磁場内に位置するように構成されていることを特徴とする解決手段１に記載の回転機構付ドリンクホルダ。
＜解決手段３＞
第１磁石と第２磁石が希土類ネオジウム磁石であり、第１磁石が筐体の本体部の下面に固着され第２磁石が支承板に固着された状態で両磁石により発生される磁場の磁束密度が０．２テスラ（Ｔ）〜０．４テスラ（Ｔ）の範囲内であることを特徴とする解決手段２に記載の回転機構付ドリンクホルダ。
＜解決手段４＞
回転盤に穿設されている複数の通気孔の一部又は全部が、風車の回転軸に対して気流を外向きに吹出すように傾斜された状態で穿設されていることを特徴とする解決手段１あるいは解決手段２あるいは解決手段３に記載の回転機構付ドリンクホルダ。
【考案の効果】
【０００９】
本考案の解決手段１あるいは解決手段２に記載の考案によれば、空調機の設定が弱風時には風車の回転が遅く、金属板に発生する渦電流も弱くなって渦電流によるブレーキ効果も弱くなる。しかるに空調機の設定が強風時には、風車の回転が速くなり、金属板に発生する渦電流も強くなって渦電流によるブレーキ効果も強くなる。
【００１０】
要するに、弱風時には余り回転が遅くならず、強風時には回転抑制効果が大きい渦電流を利用した回転抑制手段を有しているので、弱風時にも一定の回転効果が得られ、強風時にも回転が速くなりすぎて飲料がこぼれたり、容器が落下したりする心配のない理想的な回転機構付ドリンクホルダを得ることができるものである。しかも、渦電流を発生するための金属板の回転力は、風車の回転、つまりは空調機からの気流によって得られるので、電源等の特別な動力源は何等必要とせず、この点においても理想的な回転機構付ドリンクホルダとなる。
【００１１】
本考案の解決手段３に記載の考案によれば、第１磁石と第２磁石が希土類ネオジウム磁石であるので、安価であり、小型、軽量化でき、しかも加工がし易い。また、第１磁石が筐体の本体部の下面に固着され第２磁石が支承板に固着された状態で両磁石により発生される磁場の磁束密度が０．２テスラ（Ｔ）〜０．４テスラ（Ｔ）の範囲内であるので、空調機の気流によって回転する風車の速度を、飲料がこぼれたりせず、しかも回転が停止しない程度の適切な範囲、すなわち３０〜４５ｒ．ｐ．ｍ程度の範囲内に保持することができる。
【００１２】
本考案の解決手段４に記載の考案によれば、回転盤に穿設されている複数の通気孔の一部又は全部が、風車の回転軸に対して気流を外向きに吹出すように傾斜された状態で穿設されているので、飲料容器を載置していない状態にて、空調機からの気流が回転機構付ドリンクホルダから外向きに放出され、近傍の人間がその気流を受けることができる。
【００１３】
例えば、本考案の解決手段４に記載の回転機構付ドリンクホルダを車両の空調機の送風口に装着すれば、空調機からの気流は回転機構付ドリンクホルダから外向きに放出されるので、座席に座る人がその気流を受けることができる。また、回転盤を飲料容器の底面より大きく構成することにより、飲料容器を載置した状態にても、空調機からの気流の一部は座席に座る人に向かって放射される。
【考案を実施するための最良の形態】
【００１４】
本考案を実施するための最良の形態を、以下に図面を参照しながら詳細に説明する。なお、図１は実施例１の回転機構付ドリンクホルダＤＨの右側面図、図２は平面図、図３は縦断面図、図４は底面図、図５ａは背面図、図５ｂは正面図、図６は外観斜視図である。
【実施例１】
【００１５】
実施例１の回転機構付ドリンクホルダＤＨは、図１〜図６に見るように、筐体１、筐体１内部に格納された風車２、回転軸３、回転抑制手段４、そして筐体１の上面にて回転する回転盤５から構成されている。以下に、実施例１の構成、組付け構成、作用の順に説明する。
【００１６】
＜実施例１の構成＞
図１〜図６にて、１は実施例１の回転機構付ドリンクホルダＤＨの筐体である。筐体１は空調機の送風口（図示せず）に装着される装着部１Ｂと、扁平な円筒形状の本体部１Ａが一体に構成され、本体部１Ａと装着部１Ｂは内部空間が連通されている。１１は上板、１２は下板で、両者とも本体部１Ａにては略円板状であり、装着部１Ｂにては略長方形状である。また１３は側板で、本体部１Ａにては略円筒形状であり、装着部１Ｂにては左右両側共に後端下部が下方に延伸された四角形状である。
【００１７】
したがって、筐体１は、本体部１Ａにては略円筒形状であり、装着部１Ｂにては後部に行くほど下端が下方に拡大された直方体状で、筐体１の背面は図５ａに示すように開放面となっている。また、上板１１は本体部１Ａにおいて、図７に示すように扇形の開口部１１ａ、１１ｂ、１１ｃ、１１ｄを有している。なお、実施例１の回転機構付ドリンクホルダＤＨにおいては、筐体１は合成樹脂製で、上板１１と下板１２が側板１３に螺着されて構成されているが、螺着の代わりに嵌着、接着等他の固着方法を用いても無論さしつかえはない。また、筐体１を金属や木等他の素材で作ることも当然可能である。
【００１８】
図９、図１２ａに見るように、筐体１の本体部１Ａにおける上板１１の中心には円孔１１ｅが穿設されており、円孔１１ｅの上端周辺には円孔１１ｅを拡径するかたちで円形状の凹部１１ｆが刻切されている。また、円孔１１ｅの下端には、円孔１１ｅからやや距離を置いて円孔１１ｅを囲繞するようにリング状の凸部１１ｇが設けられている。したがって、円孔１１ｅの下端周辺は凸部１１ｇに囲繞された凹部１１ｈが形成されていることになる。円孔１１ｅは、後述の中心軸３の膨出部３２（図１１参照）が遊嵌されるサイズに構成されている。
【００１９】
また、図９、図１２ｂに見るように、筐体１の本体部１Ａにおける下板１２の中心には円孔１２ａが穿設されており、円孔１２ａの下端周辺には円孔１２ａを拡径するかたちで円形状の凹部１２ｂが刻切されている。また、円孔１２ａの上端には、円孔１２ａからやや距離を置いて円孔１２ａを囲繞するようにリング状の凸部１２ｃが設けられている。したがって、円孔１２ａの上端周辺は凸部１２ｃに囲繞された凹部１２ｄが形成されていることになる。円孔１２ａは、後述の中心軸３の膨出部３３（図１１参照）が遊嵌されるサイズに構成されている。
【００２０】
装着部１Ｂの側板１３内壁に左右１対で設けられる係着片Ｓ１、Ｓ２（図１〜図５ａ参照）は、回転機構付ドリンクホルダＤＨ全体を空調機の送風口（図示せず）に装着するための構成で、実施例１にては金属製である。係着片Ｓ１（図３参照）は本体Ｓ１ａの前部に長孔Ｓ１ｃを、後部に係着爪Ｓ１ｂを有し、調節ネジＳ１ｅと長孔Ｓ１ｃにより、側板１３の左側内壁に螺着される。
【００２１】
調節ネジＳ１ｅを緩めれば、長孔Ｓ１ｃの作用により、本体Ｓ１ａの前後方向への移動及び本体Ｓ１ａ全体の傾動が可能となるので、空調機の送風口（図示せず）の形状に適合するように調整を行い、空調機の送風口のルーバー（図示せず）に係着爪Ｓ１ｂを係着させることにより空調機の送風口（図示せず）に装着する。
【００２２】
なお、Ｓ１ｄは係着爪Ｓ１ｂに被着される軟質材製のカバーであって、これにより空調機の送風口のルーバー（図示せず）の損傷を防止する。また、係着片Ｓ２（図１参照）は係着片Ｓ１と同様の構成で、本体Ｓ２ａ、係着爪Ｓ２ｂ、長孔Ｓ２ｃ、カバーＳ２ｄ、調節ネジＳ２ｅから構成されており、側板１３の右側内壁に螺着される。
【００２３】
風車２は図１、図３、図７、図８に見るように筐体１の本体部１Ａ内に格納されており、合成樹脂製の板状の羽根２１、２１、……、支承胴２２、２３、スポークＳＰ、ＳＰ、……から構成されている。羽２１は略長方形状で、図７〜図１０ｂに見るように中央部２１ａが球面上に形成されており、基部２１ｂは円筒形状の合成樹脂製の支承胴２２の外側面に固着されている。固着方法は螺着、接着、溶着のいずれでも良い。風車２全体は、中心に位置する円筒形状の支承胴２３が後述の回転軸３に固着されることにより、筐体１の本体部１Ａ内に回転自在に格納されている。
【００２４】
支承胴２３は支承胴２２よりさらに直径の小なる中空の円筒形状で、風車２の中心に位置する。支承胴２３の外側面と支承胴２２の内側面は複数のスポークＳＰ、ＳＰ、……により連結されている。スポークＳＰ、ＳＰ、……は、風車２の上面と下面に風車２の径方向に配設されていて、上面の中心部分に段部Ｄ１が、下面の中心部分に段部Ｄ２が形成されている（図９、図１０ａ、図１０ｂ参照）。段部Ｄ１には図１０ａに見るようにベアリングＢ１の下面が嵌合固着され、段部Ｄ２には図１０ｂに見るようにベアリングＢ２の上面が嵌合固着される。
【００２５】
なお、風車２を構成する羽根２１、２１、……、支承胴２２、２３、スポークＳＰ、ＳＰ、……はすべてが一体として構成されている。したがって、風車２全体を合成樹脂で一体成形することも可能であるが、金型が複雑になりすぎるようであれば部品別に製作して、螺着、接着、溶着等任意の方法をもって組付け固着すればよい。なお、風車２において、その一部を金属製とすることも無論自由である。
【００２６】
風車２の回転軸３は、図１１に見るように、円筒形状の本体３１の上端近傍に円筒形状の膨出部３２が本体３１と一体に突設され、下端近傍に円筒形状の膨出部３３が本体３１と一体に突設されている。また、本体３１の上面にはネジ孔３１ａが穿設され、本体３１の下面にはネジ孔３１ｂが穿設されている。なお、Ｂ１、Ｂ２はベアリングである。本体３１の中央部分には、図９に見るように風車２の支承胴２３が嵌合固着されるが、この固着方法も螺着、接着、溶着等任意である。これにより、風車２と回転軸３は一体となり、風車２の回転が回転軸３を回転させる。
【００２７】
３４は後述の回転盤５を支承するための支承板で、扁平な円盤状の本体３４ａの下面に、本体３４ａと一体に円筒形状の凸部３４ｂが突設されており、全体の中心に円孔３４ｃが穿設されている（図９、図１１参照）。円孔３４ｃは回転軸３の本体３１の上端部が隙間なく嵌合されるサイズに形成されている。また、３５は後述の金属板４１を支承するための支承板で、扁平な円盤状の本体３５ａの上面に、本体３５ａと一体に円筒形状の凸部３５ｂが突設されており、全体の中心に円孔３５ｃが穿設されている（図９、図１１参照）。円孔３５ｃは回転軸３の本体３１の下端部が隙間なく嵌合されるサイズに形成されている。
【００２８】
図９、図１１に見るように、Ｎ１は頭部Ｎ１ａが円錐形状に形成されたネジで、後述の回転盤５の中心に穿設された円孔５１の擂鉢状の上部５１ａに頭部Ｎ１ａが隙間なく嵌合される。なお、ネジＮ１の本体Ｎ１ｂは円孔５１の下部５１ｂに螺入される。また、Ｎ２は頭部Ｎ２ａが円錐形状に形成されたネジで、後述の金属板４１の中心に穿設された円孔４１１の擂鉢状の下部４１１ｂに頭部Ｎ２ａが隙間なく嵌合される。なお、ネジＮ２の本体Ｎ２ｂは円孔４１１の上部４１１ａに螺入される。
【００２９】
４は風車２の回転を抑制するための回転抑制手段であり、筐体１の本体部１Ａの下部に設けられる。回転抑制手段４は、図１、図３、図４、図５ｂに見るように、筐体１の本体部１Ａの下板１２の下面の右方に固着された面状の第１磁石４２、下板１２の下面から一定距離に隔離するように下方に設けられた支承板４４に固着された面状の第２磁石４３、中心がネジＮ２により風車２の回転軸３の下端部に固定された円形の金属板４１から構成されている。
【００３０】
金属板４１は中心に円孔４１１を有する金属製の円板で、前述のように
円孔４１１の擂鉢状の下部４１１ｂにネジＮ２の頭部Ｎ２ａが隙間なく嵌合され、回転軸３の下端部に螺着されるネジＮ２の本体Ｎ２ｂが円孔４１１の上部４１１ａに支承板３５を挟んで螺入されることにより風車２の回転軸３の下端部に螺着固定されている。そして、第１磁石４２、第２磁石４３は、金属板４１の右端を、一定の距離を置いて挟むように配設されている。
【００３１】
支承板４４は楕円形の底面４４ａと湾曲する側面４４ｂからなる。楕円形の底面４４ａを、筐体１の下板１２に突設固着された側面４４ｂにて下板１２から離間するように構成されており、底面４４ａの上面には第２磁石４３が固着されている。なお、支承板４４の側面４４ｂは右方のみしかなく、左方は開放状態で、この左方に金属板４１の右端が配置されている。実施例１にては、支承板４４は合成樹脂製である。
【００３２】
第１磁石４２、第２磁石４３は、同寸の楕円形の薄板の永久磁石で、鉄とネオジウムを主原料とする「希土類ネオジウム磁石」と呼ばれる種類の磁石を用いている。希土類ネオジウム磁石は、自然界に豊富に存在する鉄とネオジウムを用いているので安価であり、比重が軽いために小型、軽量化でき、しかも機械的強度が高いために欠けや割れが少なく加工がし易いという有利な特徴を有しているので、本考案に用いるのには最適の素材であるといえる。ただし、耐蝕性には若干問題があるので、アルミクロメートやエポキシスプレー塗装、電着塗装、ニッケルめっきなどの表面処理を施して用いる。
【００３３】
また、第１磁石が筐体の本体部１Ａの下板１２の下面に固着され第２磁石が支承板４４の底板４４ａに固着された状態で両磁石により発生される磁場の磁束密度が０．２テスラ（Ｔ）〜０．４テスラ（Ｔ）の範囲内となるように、第１磁石４２、第２磁石４３の厚さや相互距離を調整する。実施例１にては、第１磁石４２、第２磁石４３の厚さが１ｍｍ弱、相互距離を３ｍｍとして、良好な結果が得られた。なお、この際の金属板４１の厚さは１．７ｍｍとした。
【００３４】
回転盤５は上面に飲料の容器Ｃを載置した状態にて回転させるための構成であり、合成樹脂製の円板に複数の通気孔ｖ、ｖ、……が穿設されている。通気孔ｖ、ｖ、……は、円周の外側に配置されたものほど直径が大に、内側に配置されたものほど直径が小に構成されている。また、通気孔ｖ、ｖ、……の内壁面は垂直であって、下方からの気流を垂直上方に吹出すように構成されている。なお、回転盤５の厚さは、実施例１にては４．５ｍｍである。
【００３５】
回転盤５の中心には円孔５１が穿設されているが、円孔５１は前述のように上部５１ａが擂鉢状で、下部５１ｂはネジ孔となっており、頭部Ｎ１ａが円錐形状に形成されたネジＮ１の頭部Ｎ１ａが擂鉢状の上部５１ａに隙間なく嵌合され、下部５１ｂにはネジＮ１の本体Ｎ１ｂが螺入される。すなわち、ネジＮ１の本体Ｎ１ｂが円孔５１の下部５１ａに支承板３４を挟んで螺入されることにより回転盤５全体が風車２の回転軸３の上端部に螺着固定されている。
【００３６】
図１３ａ〜図１３ｃには別の構成の回転盤６を示す。回転盤６においては、通気孔ｗ、ｗ、……の構成のみが回転盤５とは異なっており、他の構成は回転盤５と同一である。通気孔ｗ、ｗ、……は、図１２ｂ、図１２ｃに見るように下方からの気流Ｆ、Ｆ、……を外側上方に吹出すように通気孔ｗ、ｗ、……の内壁面が傾斜されて構成されている。
【００３７】
このようにすることにより、飲料の容器Ｃを載置していない状態にて、気流Ｆ、Ｆ、……が外向きに放出され、近傍の人間がその気流を受けることができる。例えば、車両の空調機の送風口（図示せず）に装着した状態にては、座席に座る人（図示せず）がその気流Ｆ、Ｆ、……を受けることができる。また、回転盤５を飲料の容器Ｃの底面より大きく構成することにより、容器Ｃを載置した状態にても、気流Ｆ、Ｆ、……の一部は座席に座る人に向かって放射される。
【００３８】
ｓ（図１〜図３参照）は、回転盤５の上面に突設固着された固定機構であり、対称に構成された固定枠ｓａ、ｓｂからなる。固定枠ｓａ、ｓｂは金属線材を曲折して構成されており、夫々の両下端部が回転盤５の上面に突設固着されている。図６に容器Ｃ（仮想線で表示）を固定している状態を示すが、固定枠ｓａ、ｓｂがバネの作用をなして固定枠ｓａ、ｓｂ間に容器Ｃが挟着固定されるものである。固定機構ｓは、市販のドリンク缶や紙コップのほとんどのサイズに対応可能に構成されている。
【００３９】
＜実施例１の組付け構成＞
実施例１の回転機構付ドリンクホルダＤＨにおいては、主要部材のほとんどが回転軸３に組付けられる。図９に示すように回転軸３の本体３１の中央部分に風車２の中央の支承胴２３が嵌合固着される。固着方法は螺着、接着等任意であるが、組付けにあたっては、回転軸３あるいは支承胴２３のいずれかが２部分以上に分割される構成である必要がある。しかしながらこの点は、当業者が適宜工夫すれば良い構成であるので詳述しない。
【００４０】
次に、風車２の段部Ｄ１（図１０ａ参照）にベアリングＢ１の下面を嵌着固定し、段部Ｄ２（図１０ｂ参照）にベアリングＢ２の上面を嵌着固定する。さらに、中心軸３の上端部を上板１１の円孔１１ｅに遊挿した状態にて（図９参照）ベアリングＢ１の上面を上板１１の下面に形成されている凹部１１ｈに嵌着固定する。また、中心軸３の下端部を下板１２の円孔１２ａに遊挿した状態にてベアリングＢ２の下面を下板１２の上面に形成されている凹部１２ｄに嵌着固定する。なお、この状態では、筐体１の側板１３は当然未固定状態であり、この段階の終了後に側板１３は上板１１、下板１２に螺着固定されて上板１１、下板１２、側板１３が一体として筐体１となる。
【００４１】
さらに、上板１１の凹部１１ｆの中心に突出する中心軸３の本体３１の上端部に支承板３４の円孔３４ｃを挿嵌し（図９参照）、支承板３４の本体３４ａの上面に回転盤５の中心部分を載置した状態で、回転盤５の円孔５１にネジＮ１を螺入する。ネジＮ１の本体Ｎ１ｂは中心軸３の上端部のネジ孔３１ａに到達する長さに構成されているので、本体Ｎ１ｂはそのままネジ孔３１ａに螺入される。また、ネジＮ１の頭部Ｎ１ａは円孔５１の擂鉢型の上部５１ａに埋設されるので、ネジＮ１を完全に締結した状態にて回転盤５の上面は突出物のない完全にフラットな状態となる。
【００４２】
この際、中心軸３の本体３１の上面は上板１１の上面より僅かに突出するが、支承板３４の全高が、図９に見るように本体３４ａの上面が中心軸３の本体３１の上面よりさらに上に位置するように構成されているので、上板１１の上面と回転盤５の下面との間には空間Ｒ１が生じる。この空間Ｒ１の作用により、回転盤５は上板１１に接触することなく回転することが可能となる。なお、本体３４ａの下面は上板１１の上面よりやや上になるように構成されるが、さらに本体３４ａの下面下部には上板１１の円孔１１ｅの周辺の凹部１１ｆが存在しているので、本体３４ａの下面が上板１１の上面に接触する心配もない。
【００４３】
また、下板１２の凹部１２ｂの中心に突出する中心軸３の本体３１の下端部に支承板３５の円孔３５ｃを挿嵌し（図９参照）、支承板３５の本体３５ａの下面に金属板４１の中心部分を当接させた状態で、金属板４１の円孔４１１にネジＮ２を螺入する。ネジＮ２の本体Ｎ２ｂは中心軸３の下端部のネジ孔３１ｂに到達する長さに構成されているので、本体Ｎ２ｂはそのままネジ孔３１ｂに螺入される。また、ネジＮ２の頭部Ｎ２ａは円孔４１１の擂鉢型の下部４１１ｂに埋設されるので、ネジＮ２を完全に締結した状態にて金属板４１の下面は突出物のない完全にフラットな状態となる。
【００４４】
この際、中心軸３の本体３１の下面は下板１２の下面より僅かに突出するが、支承板３５の全高が、図９に見るように本体３５ａの下面が中心軸３の本体３１の下面よりさらに下に位置するように構成されているので、下板１２の下面と金属板４の上面との間には空間Ｒ２が生じる。この空間Ｒ２の作用により、金属板４は下板１２に接触することなく回転することが可能となる。なお、本体３５ａの上面は下板１２の下面よりやや下になるように構成されるが、さらに本体３５ａの上面上部には下板１２の円孔１２ａの周辺の凹部１２ｂが存在しているので、本体３５ａの上面が下板１２の下面に接触する心配もない。
【００４５】
以上のように全体を組付けた状態にて、中心軸３には風車２が固着され、またネジＮ１が中心軸３の上端部と回転盤５の中心部分の間に支承板３４を挟着固定していることにより、回転盤５も中心軸３に固定される。同時にまたネジＮ２が中心軸３の下端部と金属板４の中心部分の間に支承板３５を挟着固定していることにより、金属板４も中心軸３に固定される。また、上板１１と風車２の間にはベアリングＤ１が配され、下板１２と風車２の間にはベアリングＤ２が配される。したがって、風車２と中心軸３と金属板４と回転盤５は一体として、筐体１に対してベアリングＤ１、Ｄ２により円滑な回転が可能な状態に組付けられる。
【００４６】
＜実施例１の作用＞
実施例１の回転機構付ドリンクホルダＤＨは、筐体１の装着部１Ｂの係着片Ｓ１の係着爪Ｓ１ｂ、係着片Ｓ２の係着爪Ｓ２ｂを空調機の吹出し口のルーバー（図示せず）に係着して用いられる。この際、調節ネジＳ１ｅ、Ｓ２ｅを適宜調節することにより、空調機の吹出し口のルーバーへの係着具合を調節する。このようにして空調機の吹出し口への装着が完了すれば、回転盤５の上面に突設された容器Ｃの固定機構ｓの固定枠ｓａ、ｓｂに飲料の容器Ｃを挟着固定する。この際、飲料の容器Ｃは、アルミ缶、スチール缶、紙コップ等固定機構ｓに固定可能なものであれば種類を問わない。
【００４７】
次に空調機（図示せず）を駆動する。すると、空調機の吹出し口（図示せず）から気流Ｆが筐体１の装着部１Ｂに流入する（図３参照）。筐体１の本体部１Ａと装着部１Ｂは内部空間が連通された状態であるので、装着部１Ｂから流入した気流Ｆは本体部１Ａの中心に位置する風車２に吹き付けて風車２を回転させる。風車２の回転力は風車２に固着された中心軸３を回転させ、支承板３４を介してネジＮ１により中心軸３の上端部に固着された回転盤５を風車２と同方向に回転させる。
【００４８】
同時に、風車２に達した気流Ｆは、上板１１に穿設された扇形の開口部１１ａ、１１ｂ、１１ｃ、１１ｄ（図７参照）を通過して回転盤５に達する。回転盤５には複数の通気孔ｖ、ｖ、……が穿設されているので、気流Ｆは通気孔ｖ、ｖ、……から吹出し（図３参照）、回転盤５の上面に固定されている飲料の容器Ｃ（図６参照）に当たる。この際、気流Ｆが冷風であれば容器Ｃ内の飲料は冷却され、気流が温風であれば容器Ｃ内の飲料は加温される。
【００４９】
なお、この際、図１３ａ〜図１３ｃに示す別の構成の回転盤６を用いれば、気流Ｆは外向き、すなわち回転盤６の径方向外向きに吹出し、飲料の容器Ｃのみならず、周辺にいる人物（図示せず）も該気流Ｆを受けることができる。
【００５０】
風車２によって発生する回転力は気流Ｆの風速に略比例して増減する。すなわち、気流Ｆが強ければ風車２によって発生する回転力も大となり、気流Ｆが弱ければ風車２によって発生する回転力は小となる。したがって、気流Ｆが余りに強すぎると発生する回転力も大となりすぎ、回転盤５の回転が急速になりすぎて、容器Ｃ内の飲料がこぼれたり、あるいは容器Ｃ自体が回転盤５から脱落するおそれさえある。また、利用者（図示せず）が容器Ｃを取り上げるのも困難となる。
【００５１】
しかるに、風車２の回転力は、中心軸３を介して筐体１の下面に設けられた金属板４も回転させる。金属板４の右端は回転抑制手段４の第１磁石４２と第２磁石４３の間に発生する磁場内にあり、金属板４が回転すると、金属板４に渦電流が発生し、該渦電流の作用によって金属板４の回転は抑制される。
【００５２】
この渦電流による回転抑制作用は金属板４の回転が遅ければ遅いほど弱くなり、金属板４の回転が速ければ速いほど強くなる。したがって、気流Ｆの流速が遅く風車２が発生する回転力が弱いときには渦電流による回転抑制作用は余り働かず、気流Ｆの流速が速くなって風車２が発生する回転力が強まると共に渦電流による回転抑制作用も強まり、金属板４の回転には大きな抑制作用が働く。
【００５３】
金属板４と回転盤５は中心軸を介して相互に固着され一体とされているので、金属板４の回転が抑制されると必然的に回転盤５の回転も抑制される。したがって、気流Ｆの流速が大となっても回転盤５の回転は気流Ｆの流速に比例して大になることはなく、やや速くなる程度である。
【００５４】
実際に、実施例１の回転抑制手段付ドリンクホルダＤＨを軽自動車の空調機の吹出口（図示せず）に装着して実験してみたが、軽自動車の空調機の風速を最小にした場合で回転盤５の回転数は３０ｒ．ｐ．ｍであり、最大にした場合で４５ｒ．ｐ．ｍであった。この範囲であるならば、回転の様相も見た目に心地よく映り、かつ空調機の風速を最大にした場合でも容器Ｃ内の飲料がこぼれたりするおそれもない。また、利用者が容器Ｃを取り上げる動作にも支障はなく、容器Ｃを取り落とす心配もない。したがって、回転抑制手段４が有効に働いていることが確認された。
【産業上の利用可能性】
【００５５】
叙上のように、本考案の回転抑制手段付ドリンクホルダにおいては、車載の空調機の吹出口に装着して回転する外観を楽しみつつ飲料の加温あるいは加冷を行え、しかも空調機の風速を最大にしても容器内部の飲料がこぼれたりあるいは容器が転倒したりというトラブルを見ることがないものである。
【００５６】
本考案の回転抑制手段付ドリンクホルダは、このように車載の空調機の吹出口に装着してドライブの楽しさに華を添える作用のみならず、家庭用あるいは事業所用の空調機の吹出口にも装着すれば、家庭や事業所にても同様の作用を味わえるものである。したがって、本考案の回転抑制手段付ドリンクホルダは極めて応用範囲が広く、産業上有益な考案として広範な利用が期待されるものであるといえる。
【図面の簡単な説明】
【００５７】
【図１】本考案の実施例１の回転機構付ドリンクホルダの右側面図である。
【図２】本考案の実施例１の回転機構付ドリンクホルダの平面図である。
【図３】図２のＡ−Ａ線断面図である。
【図４】本考案の実施例１の回転機構付ドリンクホルダの底面図である。
【図５】（ａ）本考案の実施例１の回転機構付ドリンクホルダの背面図である。    （ｂ）本考案の実施例１の回転機構付ドリンクホルダの正面図である。
【図６】本考案の実施例１の回転機構付ドリンクホルダの外観斜視図である。
【図７】本考案の実施例１の回転機構付ドリンクホルダの回転盤を除去した状態の平面図である。
【図８】本考案の実施例１の回転機構付ドリンクホルダの回転盤と上板を除去した状態の平面図である。
【図９】図３の要部の拡大図である。
【図１０】（ａ）風車と上のベアリングの組付け構成を説明する説明図である。    （ｂ）風車と下のベアリングの組付け構成を説明する説明図である。
【図１１】回転軸と上下のベアリングと上下の支承板と上下のネジの組付け構成を説明する説明図である。
【図１２】（ａ）上板の中心部分の断面構成を説明する説明図である。    （ｂ）下板の中心部分の断面構成を説明する説明図である。
【図１３】（ａ）別の構成の回転盤の平面図である（ｂ）図１３ａのＢ−Ｂ線縦断面図である。（ｃ）図１３ｂの要部の拡大図である。
【符号の説明】
【００５８】
１        筐体
１１      上板
１１ａ    開口部
１１ｂ    開口部
１１ｃ    開口部
１１ｄ    開口部
１１ｅ    円孔
１１ｆ    凹部
１１ｇ    凸部
１１ｈ    凹部
１２      下板
１２ａ    円孔
１２ｂ    凹部
１２ｃ    凸部
１２ｄ    凹部
１３      側板
１Ａ      本体部
１Ｂ      装着部
２        風車
２１      羽根
２１ａ    中央部
２１ｂ    基部
２２      支承胴
２３      支承胴
３        回転軸
３１      本体
３１ａ    ネジ孔
３１ｂ    ネジ孔
３２      膨出部
３３      膨出部
３４      支承板
３４ａ    本体
３４ｂ    凸部
３４ｃ    円孔
３５      支承板
３５ａ    本体
３５ｂ    凸部
３５ｃ    円孔
４        回転抑制手段
４１      金属板
４１１    円孔
４１１ａ  上部
４１１ｂ  下部
４２      第１磁石
４３      第２磁石
４４      支承板
４４ａ    底面
４４ｂ    側面
５        回転盤
５１      円孔
５１ａ    上部
５１ｂ    下部
６        回転盤
Ｂ１      ベアリング
Ｂ２      ベアリング
Ｃ        容器
Ｄ１      段部
Ｄ２      段部
ＤＨ      回転機構付ドリンクホルダ
Ｆ        気流
Ｎ１      ネジ
Ｎ１ａ    頭部
Ｎ１ｂ    本体
Ｎ２      ネジ
Ｎ２ａ    頭部
Ｎ２ｂ    本体
Ｒ１      空間
Ｒ２      空間
Ｓ１      係着片
Ｓ１ａ    本体
Ｓ１ｂ    係着爪
Ｓ１ｃ    長孔
Ｓ１ｄ    カバー
Ｓ１ｅ    調節ネジ
Ｓ２      係着片
Ｓ２ａ    本体
Ｓ２ｂ    係着爪
Ｓ２ｃ    長孔
Ｓ２ｄ    カバー
Ｓ２ｅ    調節ネジ
ＳＰ      スポーク
ｓ        固定機構
ｓａ      固定枠
ｓｂ      固定枠
ｖ        通気孔
ｗ        通気孔
【図１】
0003137682.tif 000003
【図２】
0003137682.tif 000004
【図３】
0003137682.tif 000005
【図４】
0003137682.tif 000006
【図５】
0003137682.tif 000007
【図６】
0003137682.tif 000008
【図７】
0003137682.tif 000009
【図８】
0003137682.tif 000010
【図９】
0003137682.tif 000011
【図１０】
0003137682.tif 000012
【図１１】
0003137682.tif 000013
【図１２】
0003137682.tif 000014
【図１３】
0003137682.tif 000015